(57)【要約】【課題】エマージェンシーキーの取り外しの操作性を向上できる電子キーシステムの携帯機を提供する。【解決手段】携帯機本体２側にリリースフック２３を設け、リリースフック２３を操作することによりエマージェンシーキー３の取り外しが行えるようにする。リリースフック２３は、従来のエマージェンシーキーに備えられていたフック操作用の突起よりも十分に大きく、容易に操作することができる。これにより、スマートキー１におけるエマージェンシーキー３の取り外しの操作性を向上することが可能となる。【選択図】図４
2008008032.tif 000002
【特許請求の範囲】
【請求項１】
外部と無線通信を行う通信手段を内蔵する携帯機本体（２）と、
前記携帯機本体（２）に設けられた挿入部（２２ａ）に挿入されるキー部（３ｂ）と、前記キー部（３ｂ）に接続されたヘッド部（３ａ）とを有し、前記携帯機本体（２）に対して脱着可能とされるメカニカルキーにて構成されたエマージェンシーキー（３）と、を備える携帯機において、
前記エマージェンシーキー（３）は、前記ヘッド部（３ａ）に第１係止部（３ｃ、３ｄ）を備えた構成とされ、
前記携帯機本体（２）は、前記挿入部（２２ａ）が設けられたケース（２１、２２）を有していると共に、該ケース（２１、２２）の一辺に前記エマージェンシーキー（３）の前記ヘッド部（３ａ）と隣り合わせで配置され、前記第１係止部（３ｃ、３ｄ）と係合する第２係止部（２３ｆ、２３ｉ）が備えられたフック部（２３ａ）と、前記フック部（２３ａ）を前記ケース（２１、２２）の一辺に沿って摺動させる摺動機構（２３ｂ、２３ｃ、２３ｄ、２３ｇ）と、前記フック部（２３ａ）を前記ヘッド部（３ａ）側に付勢する付勢手段（２３ｅ）とを含むリリースフック（２３）を有した構成とされ、
前記ヘッド部（３ａ）に対して、前記ヘッド部（３ａ）から離れる方向に力を加えていない状態のときには、前記付勢手段（２３ｅ）にて、前記リリースフック（２３）が前記ヘッド部（３ａ）側に付勢されることで、前記第１係止部（３ｃ、３ｄ）および前記第２係止部（２３ｆ、２３ｉ）が係合し、
前記ヘッド部（３ａ）に対して、前記ヘッド部（３ａ）から離れる方向に力を加えると、前記ケース（２１、２２）の前記一辺に沿って前記リリースフック（２３）が前記ヘッド部（３ａ）から離れる方向に移動し、前記第１係止部（３ｃ、３ｄ）および前記第２係止部（２３ｆ、２３ｉ）の係合が解除されて、前記エマージェンシーキー（３）が前記携帯機本体（２）から取り外せるように構成されていることを特徴とする電子キーシステムの携帯機。
【請求項２】
前記エマージェンシーキー（３）の前記ヘッド部（３ａ）に備えられた前記第１係止部は、前記リリースフック（２３）の前記フック部（２３ａ）側に突出する突起部（３ｃ）により構成され、
前記リリースフック（２３）の前記フック部（２３ａ）に備えられた前記第２係止部は、前記フック部（２３ａ）における前記ケース（２１、２２）側に形成され、前記突起部（３ｃ）が挿入される凹部（２３ｆ）により構成されていることを特徴とする請求項１に記載の電子キーシステムの携帯機。
【請求項３】
前記突起部（３ｃ）のうち、前記キー部（３ｂ）を前記挿入部（２２ａ）に挿入する際に前記フック部（２３ａ）と接触する部分、もしくは、前記フック部（２３ａ）のうち、前記キー部（３ｂ）を前記挿入部（２２ａ）に挿入する際に前記突起部（３ｃ）と接触する部分はテーパ面とされていることを特徴とする請求項２に記載の電子キーシステムの携帯機。
【請求項４】
前記リリースフック（２３）の前記フック部（２３ａ）に備えられた前記第２係止部は、前記フック部（２３ａ）から前記エマージェンシーキー（３）の前記ヘッド部（３ａ）側に突出する突起部（２３ｉ）により構成され、
前記エマージェンシーキー（３）の前記ヘッド部（３ａ）に備えられた前記第１係止部は、前記ヘッド部（３ａ）のうち前記キー部（３ｂ）とは反対側の面に形成され、前記突起部（２３ｉ）が挿入される凹部（３ｄ）により構成されていることを特徴とする請求項１に記載の電子キーシステムの携帯機。
【請求項５】
前記ヘッド部（３ａ）における前記キー部（３ｂ）側の面のうち、前記キー部（３ｂ）を前記挿入部（２２ａ）に挿入する際に前記突起部（２３ｉ）と接触する部分、もしくは、前記突起部（２３ｉ）のうち、前記キー部（３ｂ）を前記挿入部（２２ａ）に挿入する際に前記ヘッド部（３ａ）と接触する部分はテーパ面とされていることを特徴とする請求項４に記載の電子キーシステムの携帯機。
【請求項６】
前記リリースフック（２３）に備えられた摺動機構は、前記フック部（２３ａ）から突出して前記ケース（２１、２２）内に収容される摺動部（２３ｂ）を有し、
前記ケース（２１、２２）には、前記摺動部（２３ｂ）が摺動する溝部（２２ｂ）が形成され、
前記摺動部（２３ｂ）が前記溝部（２２ｂ）を摺動することにより、前記フック部（２３ａ）が前記ケース（２２）の一辺に沿って移動するように構成されていることを特徴とする請求項１ないし５のいずれか１つに記載の電子キーシステムの携帯機。
【請求項７】
前記摺動部（２３ｂ）には、該摺動部（２３ｂ）の摺動方向を長手方向とする穴部（２３ｇ）が形成され、該穴部（２３ｇ）を通じてピン（２３ｃ）が前記溝部（２２ｂ）に形成された穴（２２ｅ）に固定されることで、前記摺動部（２３ｂ）が前記ケース（２１、２２）に保持されていることを特徴とする請求項６に記載の電子キーシステムの携帯機。
【請求項８】
前記ケース（２２）のうち前記溝部（２２ｂ）の一端側に位置する隔壁をストッパ部（２２ｄ）として、該ストッパ部（２２ｄ）と前記摺動部（２３ｂ）との間に前記付勢手段を構成するスプリング（２３ｅ）が備えられていることを特徴とする請求項６または７に記載の電子キーシステムの携帯機。
【請求項９】
前記ケース（２１、２２）および前記リリースフック（２３）を有して構成された前記携帯機本体（２）に前記エマージェンシーキー（３）を差し込んだ状態において、該携帯機本体（２）および前記エマージェンシーキー（３）の外形が長方体、各角部が丸みを帯びた長方体もしくは楕円形のいずれか１つであることを特徴とする請求項１ないし８のいずれか１つに記載の電子キーシステムの携帯機。
【発明の詳細な説明】
【技術分野】
【０００１】
本発明は、電子キーシステムの携帯機に関するものである。
【背景技術】
【０００２】
従来、スマートキーシステム（登録商標）やキーレスエントリーシステム等のメカニカルキーの代わりに、電子キーを用いて車両等のドアのロック・アンロック等の操作を行う電子キーシステムがある。この電子キーシステムでは、電子キーとしての携帯機をユーザが携帯することにより、例えば、車両に近づいたり車両から遠ざかると自動的にアンロック・ロックが行えたり、乗車したときに携帯機に記憶されているＩＤコードと車両に記憶されているＩＤコードとの照合に基づきイグニッションをオンさせられるようになっている。電子キーとしての携帯機の本体（以下、携帯機本体という）には、相手側と通信する通信手段が内蔵されていると共に、携帯機による通信が行えないなどの非常時に使用されるメカニカルキーにて構成されたエマージェンシーキーが収納されている（例えば、特許文献１、２、３参照）。
【０００３】
図６は、従来の電子キーシステムの携帯機１００の一例を示した斜視図である。この図に示されるように、携帯機本体１０１の一角部に挿入部１０１ａが備えられ、この挿入部１０１ａにエマージェンシーキー１０２のキー部１０２ａが差し込めるようになっている。エマージェンシーキー１０２には突起部１０２ｂと共に紙面左右方向に摺動できるフック部（図示せず）が内蔵され、携帯機本体１０１側にはフック部が挿入される凹部（図示せず）が形成されている。このような構成により、エマージェンシーキー１０２を携帯機本体１０１の挿入部１０１ａに挿入すると、エマージェンシーキー１０２のフック部が携帯機本体１０１の凹部と嵌合してエマージェンシーキー１０２が携帯機本体１０１に固定させられ、突起部１０２ｂを引っ張ると、フック部が凹部から抜けてエマージェンシーキー１０２が携帯機本体１０１から抜き取れるようになっている。
【特許文献１】特開２００４−６８４１７号公報
【特許文献２】特開２００３−３０７０５４号公報
【特許文献３】特開２００４−４８３４２号公報
【発明の開示】
【発明が解決しようとする課題】
【０００４】
しかしながら、図６に示すように、従来の電子キーシステムの携帯機１００では、エマージェンシーキー１０２に突起部１０２ｂを設け、この突起部１０２ｂを引っ張ることによりエマージェンシーキー１０２を携帯機本体１０１から取り外せるようにしているが、この突起部１０２ｂが小さく、操作性が悪いという問題がある。突起部１０２ｂを大型なものにすれば良いが、突起部１０２ｂをあまり大きくするとエマージェンシーキー１０２の大型化に繋がり、また携帯機１００の外観も悪化させてしまう。
【０００５】
本発明は上記点に鑑みて、エマージェンシーキーの取り外しの操作性を向上できる電子キーシステムの携帯機を提供することを目的とする。
【課題を解決するための手段】
【０００６】
上記目的を達成するため、本発明では、エマージェンシーキー（３）は、ヘッド部（３ａ）に第１係止部（３ｃ、３ｄ）が備えられた構成とされ、携帯機本体（２）は、挿入部（２２ａ）が設けられたケース（２１、２２）を有していると共に、該ケース（２１、２２）の一辺にエマージェンシーキー（３）のヘッド部（３ａ）と隣り合わせで配置され、第１係止部（３ｃ、３ｄ）と係合する第２係止部（２３ｆ、２３ｉ）が備えられたフック部（２３ａ）と、フック部（２３ａ）をケース（２１、２２）の一辺に沿って摺動させる摺動機構（２３ｂ、２３ｃ、２３ｄ、２３ｇ）と、フック部（２３ａ）をヘッド部（３ａ）側に付勢する付勢手段（２３ｅ）とを含むリリースフック（２３）を有した構成とされる。そして、このような構成により、ヘッド部（３ａ）に対して、ヘッド部（３ａ）から離れる方向に力を加えていない状態のときには、付勢手段（２３ｅ）にて、リリースフック（２３）がヘッド部（３ａ）側に付勢されることで、第１係止部（３ｃ、３ｄ）および第２係止部（２３ｆ、２３ｉ）が係合し、ヘッド部（３ａ）に対して、ヘッド部（３ａ）から離れる方向に力を加えると、ケース（２１、２２）の一辺に沿ってリリースフック（２３）がヘッド部（３ａ）から離れる方向に移動し、第１係止部（３ｃ、３ｄ）および第２係止部（２３ｆ、２３ｉ）の係合が解除されて、エマージェンシーキー（３）が携帯機本体（２）から取り外せるようにしたことを特徴としている。
【０００７】
このように、携帯機本体（２）側にリリースフック（２３）を設け、リリースフック（２３）を操作することによりエマージェンシーキー（３）の取り外しが行えるようにしている。このような構造の場合、従来のエマージェンシーキーに備えられていたフック操作用の突起よりもリリースフック（２３）を十分に大きくできるため、容易に操作することができる。これにより、携帯機におけるエマージェンシーキー（３）の取り外しの操作性を向上することが可能となる。
【０００８】
例えば、エマージェンシーキー（３）のヘッド部（３ａ）に備えられた第１係止部は、リリースフック（２３）のフック部（２３ａ）側に突出する突起部（３ｃ）により構成され、リリースフック（２３）のフック部（２３ａ）に備えられた第２係止部は、フック部（２３ａ）におけるケース（２１、２２）側に形成された、突起部（３ｃ）が挿入される凹部（２３ｆ）により構成される。
【０００９】
この場合、突起部（３ｃ）のうち、キー部（３ｂ）を挿入部（２２ａ）に挿入する際にフック部（２３ａ）と接触する部分、もしくは、フック部（２３ａ）のうち、キー部（３ｂ）を挿入部（２２ａ）に挿入する際に突起部（３ｃ）と部分をテーパ面とすると好ましい。
【００１０】
このような構成とすると、キー部（３ｂ）を挿入部（２２ａ）に挿入する際に、テーパ面とされた部分によりエマージェンシーキー（３）を挿入する力がリリースフック（２３）を押し退ける力に変換され、ユーザがリリースフック（２３）を操作しなくてもエマージェンシーキー（３）を携帯機本体（２）に挿し込めることが可能となる。
【００１１】
また、リリースフック（２３）のフック部（２３ａ）に備えられた第２係止部は、フック部（２３ａ）からエマージェンシーキー（３）のヘッド部（３ａ）側に突出する突起部（２３ｉ）により構成され、エマージェンシーキー（３）のヘッド部（３ａ）に備えられた第１係止部は、ヘッド部（３ａ）のうちキー部（３ｂ）とは反対側の面に形成され、突起部（２３ｉ）が挿入される凹部（３ｄ）により構成されるようにしても良い。
【００１２】
この場合、ヘッド部（３ａ）におけるキー部（３ｂ）側の面のうち、キー部（３ｂ）を挿入部（２２ａ）に挿入する際に突起部（２３ｉ）と接触する部分、もしくは、突起部（２３ｉ）のうち、キー部（３ｂ）を挿入部（２２ａ）に挿入する際にヘッド部（３ａ）と接触する部分をテーパ面とすると好ましい。
【００１３】
このような構成としても、キー部（３ｂ）を挿入部（２２ａ）に挿入する際に、テーパ面とされた部分によりエマージェンシーキー（３）を挿入する力がリリースフック（２３）を押し退ける力に変換され、ユーザがリリースフック（２３）を操作しなくてもエマージェンシーキー（３）を携帯機本体（２）に挿し込めることが可能となる。
【００１４】
また、本発明において、リリースフック（２３）に備えられた摺動機構は、例えば、フック部（２３ａ）から突出してケース（２１、２２）内に収容される摺動部（２３ｂ）を有した構成とされる。この場合、ケース（２１、２２）に、摺動部（２３ｂ）が摺動する溝部（２２ｂ）を形成し、摺動部（２３ｂ）が溝部（２２ｂ）を摺動することにより、フック部（２３ａ）がケース（２１、２２）の一辺に沿って移動するように構成することができる。
【００１５】
この場合、摺動部（２３ｂ）に、該摺動部（２３ｂ）の摺動方向を長手方向とする穴部（２３ｇ）を形成しておき、該穴部（２３ｇ）を通じてピン（２３ｃ）が溝部（２２ｂ）に形成された穴（２２ｅ）に固定されるようにすることで、摺動部（２３ｂ）がケース（２２）に保持されるようにすることができる。
【００１６】
また、ケース（２２）のうち溝部（２２ｂ）の一端側に位置する隔壁をストッパ部（２２ｄ）として、該ストッパ部（２２ｄ）と摺動部（２３ｂ）との間に付勢手段を構成するスプリング（２３ｅ）を備えた構成とすることができる。
【００１７】
そして、このような構成により、ケース（２１、２２）およびリリースフック（２３）を有して構成された携帯機本体（２）にエマージェンシーキー（３）を差し込んだ状態において、該携帯機本体（２）およびエマージェンシーキー（３）の外形、つまり携帯機の外形を、例えば長方体、各角部が丸みを帯びた長方体もしくは楕円形のいずれか１つとすることができる。
【００１８】
なお、上記各手段の括弧内の符号は、後述する実施形態に記載の具体的手段との対応関係を示すものである。
【発明を実施するための最良の形態】
【００１９】
以下、本発明の実施形態について図に基づいて説明する。なお、以下の各実施形態相互において、互いに同一もしくは均等である部分には、図中、同一符号を付してある。
【００２０】
（第１実施形態）
本実施形態では、電子キーシステムとしてスマートキーシステム（登録商標）を例に挙げ、スマートキーシステムの携帯機として使用されるスマートキーに本発明を適用した場合について説明する。なお、スマートキーシステムとは、例えば、車両に搭載され、ユーザがスマートキーを所持していれば、メカニカルキーを使用することなく、ドアのロック・アンロック、エンジンのスタート等の操作ができるシステムである。
【００２１】
図１に、本発明の第１実施形態におけるスマートキー１の外観斜視図を示す。また、図２（ａ）に、図１に示すスマートキー１の分解斜視図、図２（ｂ）に、図２（ａ）に示すスマートキー１の構成部品の一部の組立て後の斜視図を示す。以下、これらの図を参照して、スマートキー１の構成について説明する。
【００２２】
図１、２に示すように、本実施形態のスマートキー１は、携帯機本体２と、この携帯機本体２の内部に収容されたエマージェンシーキー３とを備えた構成とされている。
【００２３】
携帯機本体２は、電子キーとして機能するものであり、上側ケース２１、下側ケース２２、リリースフック２３等により構成されている。この携帯機本体２の外形は上側ケース２１、下側ケース２２、リリースフック２３にて構成され、この携帯機本体２にエマージェンシーキー３を挿し込むことにより、スマートキー１が構成される。
【００２４】
上側ケース２１と下側ケース２２は、薄型の長方体を２つに分割したような形状であり、エマージェンシーキー３およびリリースフック２３が配置される側の一辺と対向する辺の両側の各角部が丸められた形状とされている。このように長方体として構成された上側ケース２１および下側ケース２２における一辺は平坦（直線状）とされており、この平坦とされた部分にリリースフック２３やエマージェンシーキー３のヘッド部３ａが配置されることで、各角部が丸められた長方体のスマートキー１が構成されている。
【００２５】
具体的には、図２に示すように、下側ケース２２には、平坦部分から長方体の長手方向に延びるように挿入部（挿入溝）２２ａが形成されており、この挿入部２２ａ内にエマージェンシーキー３のキー部３ｂが挿入される構造とされている。そして、エマージェンシーキー３のキー部３ｂを挿入部２２ａに完全に挿入すると、エマージェンシーキー３のヘッド部３ａの底面が上側ケース２１および下側ケース２２の平坦部分の壁面と接する。このため、エマージェンシーキー３のヘッド部３ａ、上側ケース２１と下側ケース２２およびリリースフック２３にて、スマートキー１の外形が構成され、長方体となる。
【００２６】
そして、これら上側ケース２１および下側ケース２２内に、図示しないが、外部と無線通信を行う通信回路や通信アンテナなどの通信部（通信手段）が備えられた回路基板および通信部を駆動するための電池やこれらを防水するためのシール材が収容される構成となっている。
【００２７】
通信部は、車両側の通信部（図示せず）と通信を行えるように構成されており、ユーザがスマートキー１を所持した状態で車両に近づき、スマートキーシステムのセンシングエリアに入ると、車両側からのＩＤ要求信号を受信し、それに対応して自動的にＩＤコード信号を出力する。これにより、車両側でＩＤ認証が行われ、それが一致するとドアのロック・アンロック信号待ち状態に移行し、その状態にてロック・アンロック信号を得ることにより、ロック・アンロックを実行する。
【００２８】
また、上側ケース２１には、車両におけるドアのロック・アンロックを行うための押しボタン式の操作スイッチ２１ａ、２１ｂが備えられている。このため、これら操作スイッチ２１ａ、２１ｂが押下された場合にも、それに伴う信号が通信部を介して外部に出力され、ドアのロック・アンロックが行えるようになっている。
【００２９】
さらに、下側ケース２２には、リリースフック２３が摺動する溝部２２ｂが形成されている。この溝部２２ｂは、上側ケース２１および下側ケース２２のうち、エマージェンシーキー３のヘッド部３ａが配置される切り欠き部分側に形成されており、挿入部２２ａから隔壁２２ｃを隔てた位置から下側ケース２２の側面より所定距離手前の位置まで形成されている。このため、下側ケース２２の側面に残された隔壁をストッパ部２２ｄとして、リリースフック２３の摺動が停止する構成とされている。
【００３０】
リリースフック２３は、フック部２３ａ、摺動部２３ｂ、ピン２３ｃ、ワッシャ２３ｄおよびスプリング２３ｅを備えた構成とされている。
【００３１】
フック部２３ａは、エマージェンシーキー３の携帯機本体２への固定とエマージェンシーキー３の携帯機本体２からの取り出しを可能とするためのものであり、ユーザがエマージェンシーキー３を取り外す際に指で摘まれたりして操作される部分である。このフック部２３ａが上側ケース２１および下側ケース２２における平坦部分に配置され、上側ケース２１および下側ケース２２から外に露出させられる。フック部２３ａには、上側ケース２１および下側ケース２２側となる底面において第２係止部として機能する凹部２３ｆが形成されており、この凹部２３ｆと後述するようにエマージェンシーキー３のヘッド部３ａに形成された突起部３ｃとが係合することにより、エマージェンシーキー３を携帯機本体２に固定し、エマージェンシーキー３の携帯機本体２からの抜けを防止する。フック部２３ａのうち外に露出する部分の各面は、フック部２３ａにてエマージェンシーキー３を固定している状態のときに、上側ケース２１のうち操作スイッチ２１ａ、２１ｂが備えられた表面、上側ケース２１および下側ケース２２の側面、下側ケース２２の裏面およびエマージェンシーキー３のヘッド部３ａの上面と面一となる。
【００３２】
摺動部２３ｂは、フック部２３ａから溝部２２ｂに向けて突出させられるように構成されている。この摺動部２３ｂが溝部２２ｂの延設方向（長手方向）、つまり紙面左右方向に沿って溝部２２ｂ内を摺動することにより、フック部２３ａが移動可能となっている。具体的には、摺動部２３ｂには、溝部２２ｂの延設方向を長手方向とする長円形の穴部２３ｇが形成され、この穴部２３ｇを通じて下側ケース２２の溝部２２ｂ内に形成された穴２２ｅにピン２３ｃが圧入もしくはネジ締め固定されている。このため、穴部２３ｇの内壁面をガイドとし、ピン２３ｃにて摺動部２３ｂおよびフック部２３ａが上側ケース２１および下側ケース２２から抜けられないようにされながら、摺動部２３ｂが溝部２２ｂ内を摺動できるようになっている。
【００３３】
なお、ワッシャ２３ｄは、ピン２３ｃの頭部と摺動部２３ｂとの間に配置され、フック部２３ａのガタツキ防止等の機能を果たす。
【００３４】
また、スプリング２３ｅは、付勢手段として機能するもので、摺動部２３ｂと下側ケース２２のストッパ部２２ｄとの間に配置されている。このスプリング２３ｅの弾性力により、摺動部２３ｂおよびフック部２３ａはエマージェンシーキー３側に付勢されている。なお、摺動部２３ｂのうち、下側ケース２２のストッパ部２２ｄと対向する面には保持棒２３ｈが備えられている。この保持棒２３ｈにスプリング２３ｅが嵌め込まれることで、スプリング２３ｅの位置決めが為されている。
【００３５】
エマージェンシーキー３は、ヘッド部３ａ、キー部３ｂおよび突起部３ｃを有した構成とされている。ヘッド部３ａは、携帯機本体２から露出する部分であり、このヘッド部３ａをユーザが摘むことでエマージェンシーキー３の携帯機本体２からの取り外しが行われる。すなわち、このヘッド部３ａが上側ケース２１および下側ケース２２における平坦部分に配置され、上側ケース２１および下側ケース２２から外に露出させられる。ヘッド部３ａのうち外に露出する部分の各面は、エマージェンシーキー３が携帯機本体２に挿入されている状態のときに、上側ケース２１のうち操作スイッチ２１ａ、２１ｂが備えられた表面、上側ケース２１および下側ケース２２の側面、下側ケース２２の裏面およびリリースフック２３のフック部２３ａの上面と面一となる。
【００３６】
キー部３ｂは、ヘッド部３ａから突き出すように設けられ、このキー部３ｂに車両毎のキーパターンが形成される。キー部３ｂの外形は、下側ケース２２に形成された挿入部２２ａと対応した形状となっており、紙面上方から挿入部２２ａの延設方向に沿ってキー部３ｂが挿入される。
【００３７】
突起部３ｃは、第１係止部として機能するもので、ヘッド部３ａからリリースフック２３方向に向けて突出した形状とされている。この突起部３ｃの下面、つまりキー部３ｂ側の面はテーパ面とされている。このため、キー部３ｂを挿入部２２ａに挿入する際に、突起部３ｃがフック部２３ａと接触すると、テーパ面とされた部分によりエマージェンシーキー３を挿入する力がリリースフック２３を図２の紙面右側に押し退ける力に変換され、ユーザがリリースフック２３を操作しなくてもエマージェンシーキー３を携帯機本体２に挿し込めるようになっている。
【００３８】
続いて、上記のように構成されたスマートキー１におけるエマージェンシーキー３の脱着方法について説明する。
【００３９】
図３は、エマージェンシーキー３を携帯機本体２から取り外すときの様子を示した部分分解斜視図である。図４は、その取り外し前後の様子を示した図であり、図４（ａ）、（ｂ）は上面模式図、図４（ｃ）、（ｄ）は正面模式図である。
【００４０】
図１および図２（ｂ）に示すように、エマージェンシーキー３を携帯機本体２に収容しているときには、スプリング２３ｅの弾性力により摺動部２３ｂおよびフック部２３ａがエマージェンシーキー３側に押された状態となる。このため、フック部２３ａに形成された凹部２３ｆ内にエマージェンシーキー３の突起部３ｃが挿入された状態となり、フック部２３ａに形成された凹部２３ｆの内壁面に突起部３ｃが引っ掛かり、これがロック機構として機能することで、エマージェンシーキー３が携帯機本体２から抜けないようになっている。
【００４１】
この状態からユーザがフック部２３ａを摘んで図４（ｂ）、（ｄ）の矢印で示したように紙面右方向に力を加えると、スプリング２３ｅの弾性力に抗してフック部２３ａが紙面右方向に動く。これにより、フック部２３ａに形成された凹部２３ｆからエマージェンシーキー３のヘッド部３ａの突起部３ｃが外れ、エマージェンシーキー３を下側ケース２２の挿入部２２ａから引き抜くことで、エマージェンシーキー３を携帯機本体２から取り外すことができる。
【００４２】
一方、エマージェンシーキー３の携帯機本体２への挿し戻しは、エマージェンシーキー３を下側ケース２２の挿入部２２ａに挿入することにより行われる。エマージェンシーキー３を挿入部２２ａに挿入していくと、スプリング２３ｅの弾性力によってフック部２３ａが押し戻された状態となっているため、突起部３ｃがフック部２３ａと接触する。このとき、突起部３ｃの下面がテーパ面とされているため、テーパ面がフック部２３ａに接触したときに、エマージェンシーキー３を挿入するときの力がリリースフック２３を押し退ける力に変換される。このため、ユーザがリリースフック２３を操作しなくてもエマージェンシーキー３を携帯機本体２に挿し込むことができる。
【００４３】
以上説明したように、本実施形態のスマートキーシステムに使用されるスマートキー１では、携帯機本体２側にリリースフック２３を設け、リリースフック２３を操作することによりエマージェンシーキー３の取り外しが行えるようにしている。リリースフック２３は、従来のエマージェンシーキーに備えられていたフック操作用の突起よりも十分に大きく、容易に操作することができる。これにより、スマートキー１におけるエマージェンシーキー３の取り外しの操作性を向上することが可能となる。
【００４４】
また、このようなリリースフック２３は、スマートキー１の外形の一部を構成するものであり、従来のエマージェンシーキーに備えられたフック操作用の突起のように部分的に突き出した構造ではないため、スマートキー１の外観を悪化させることもない。
【００４５】
なお、本実施形態では、リリースフック２３におけるフック部２３ａのうち外に露出する部分の各面が、上側ケース２１のうち操作スイッチ２１ａ、２１ｂが備えられた表面、上側ケース２１および下側ケース２２の側面、下側ケース２２の裏面およびエマージェンシーキー３のヘッド部３ａの上面と面一とされている。このため、最も外観がシンプルで見栄えのよいスマートキー１とすることができるが、リリースフック２３の操作性を高めるために、フック部２３ａに小さな突起や滑り止めのためのパターンを形成しても構わない。このようにフック部２３ａに小さな突起を設けたり、滑り止めのためのパターンを形成したとしても、従来の構造と比べて操作性を向上させるという効果を得ることはできるし、これらがスマートキー１から部分的に大きく突き出すようなものでない限り、外観を大きく損ねることはない。
【００４６】
（第２実施形態）
本発明の第２実施形態について説明する。本実施形態のスマートキー１は、第１実施形態に対してロック機構の構成を変更したものであり、その他に関しては第１実施形態と同様であるため、相違点についてのみ説明する。
【００４７】
図５は、エマージェンシーキー３を携帯機本体２から取り外す前後の様子を示した図であり、図５（ａ）、（ｂ）は上面模式図、図５（ｃ）、（ｄ）は正面模式図である。
【００４８】
図５（ａ）〜（ｄ）に示すように、本実施形態のスマートキー１では、エマージェンシーキー３のヘッド部３ａに対し、第１実施形態の突起部３ｃに代えて凹部３ｄを形成すると共に、リリースフック２３のフック部２３ａに対し、第１実施形態の凹部２３ｆに代えて突起部２３ｉを備えた構成としている。突起部２３ｉの上面、つまり摺動部２３ｂとは反対側の面は、テーパ面とされている。
【００４９】
続いて、上記のように構成されたスマートキー１におけるエマージェンシーキー３の脱着方法について、図５を参照して説明する。
【００５０】
図５（ａ）、（ｃ）に示すように、エマージェンシーキー３を携帯機本体２に収容しているときには、スプリング２３ｅの弾性力により摺動部２３ｂおよびフック部２３ａがエマージェンシーキー３側に押された状態となる。このため、フック部２３ａに形成された突起部２３ｉがエマージェンシーキー３の凹部３ｄに挿入された状態となり、フック部２３ａに形成された突起部２３ｉの下面に凹部３ｄの内壁面が引っ掛かり、これがロック機構として機能することで、エマージェンシーキー３が携帯機本体２から抜けないようになっている。
【００５１】
この状態からユーザがフック部２３ａを摘んで図４（ｂ）、（ｄ）の矢印で示したように紙面右方向に力を加えると、スプリング２３ｅの弾性力に抗してフック部２３ａが紙面右方向に動く。これにより、フック部２３ａに形成された突起部２３ｉがエマージェンシーキー３のヘッド部３ａの凹部３ｄから外れ、エマージェンシーキー３を下側ケース２２の挿入部２２ａから引き抜くことで、エマージェンシーキー３を携帯機本体２から取り外すことができる。
【００５２】
一方、エマージェンシーキー３の携帯機本体２への挿し戻しは、エマージェンシーキー３を下側ケース２２の挿入部２２ａに挿入することにより行われる。エマージェンシーキー３を挿入部２２ａに挿入していくと、スプリング２３ｅの弾性力によってフック部２３ａが押し戻された状態となっているため、フック部２３ａに形成された突起部２３ｉがエマージェンシーキー３のヘッド部３ａの下面と接触する。このとき、突起部２３ｉの上面がテーパ面とされているため、テーパ面がヘッド部３ａに接触したときに、エマージェンシーキー３を挿入するときの力がリリースフック２３を押し退ける力に変換される。このため、ユーザがリリースフック２３を操作しなくてもエマージェンシーキー３を携帯機本体２に挿し込むことができる。
【００５３】
したがって、本実施形態のような構造としても、上記第１実施形態と同様の効果を得ることができる。
【００５４】
（他の実施形態）
（１）上記第１、第２実施形態で示したスマートキー１は、本発明を適用したものの一例であり、他の構造としても構わない。例えば、スマートキー１の外形を各角部を丸めた長方体としたが、楕円形状や長円形状としても構わない。
【００５５】
（２）また、エマージェンシーキー３およびリリースフック２３に備えたロック機構に関しても、適宜変更可能であるし、リリースフック２３の摺動機構等についても適宜変更可能である。
【００５６】
例えば、第１実施形態では、エマージェンシーキー３のヘッド部３ａに形成した突起部３ｃの下面をテーパ面としたが、リリースフック２３のフック部２３ａのうち、エマージェンシーキー３を携帯機本体２に挿入する際に突起部３ｃと接触する部分をテーパ面としても良い。また、第２実施形態では、リリースフック２３のフック部２３ａに形成した突起部２３ｉの上面をテーパ面としたが、エマージェンシーキー３のヘッド部３ａの下面、つまりエマージェンシーキー３を携帯機本体２に挿入する際に突起部２３ｉと接触する部分をテーパ面としても構わない。
【００５７】
（３）上記した実施形態では、スマートキーシステムの携帯機を例として説明したが、スマートキーシステムに限らず、キーレスエントリーシステム等の他の電子キーシステムの携帯機においても、本発明を適用できる。
【００５８】
また、電子キーシステムは、車両に搭載されたものに限らず、他の用途に採用されている電子キーシステムにおいても、本発明を適用することができる。例えば、家の玄関等のドアに採用された電子キーシステムの携帯機に本発明を適用することもできる。
【図面の簡単な説明】
【００５９】
【図１】本発明の第１実施形態におけるスマートキー１の外観斜視図である。
【図２】（ａ）は、図１に示すスマートキー１の構成部品の一部の分解斜視図、（ｂ）は、（ａ）に示すスマートキー１の構成部品の組立て後の斜視図である。
【図３】エマージェンシーキー３を携帯機本体２から取り外すときの様子を示した部分分解斜視図である。
【図４】エマージェンシーキー３の携帯機本体２からの取り外し前後の様子を示した図であり、（ａ）、（ｂ）は上面模式図、（ｃ）、（ｄ）は正面模式図である。
【図５】本発明の第２実施形態のスマートキー１におけるエマージェンシーキー３の携帯機本体２からの取り外し前後の様子を示した図であり、（ａ）、（ｂ）は上面模式図、（ｃ）、（ｄ）は正面模式図である。
【図６】従来の電源キーシステムの携帯機１００の斜視図である。
【符号の説明】
【００６０】
１…スマートキー、２…携帯機本体、３…エマージェンシーキー、３ａ…ヘッド部、３ｂ…キー部、３ｃ…突起部、３ｄ…凹部、２１…上側ケース、２１ａ、２１ｂ…操作スイッチ、２２…下側ケース、２２ａ…挿入部、２２ｂ…溝部、２２ｃ…隔壁、２２ｄ…ストッパ部、２２ｅ…穴、２３…リリースフック、２３ａ…フック部、２３ｂ…摺動部、２３ｃ…ピン、２３ｄ…ワッシャ、２３ｅ…スプリング、２３ｆ…凹部、２３ｇ…穴部、２３ｈ…保持棒、２３ｉ…突起部。
【図１】
2008008032.tif 000003
【図２】
2008008032.tif 000004
【図３】
2008008032.tif 000005
【図４】
2008008032.tif 000006
【図５】
2008008032.tif 000007
【図６】
2008008032.tif 000008